(57)【要約】【課題】内部配線としての導電部材において、簡単な構成で放熱性を高めること。【解決手段】インバータケース２０の内部に配された第１端子６２と、インバータケース２０の内部に配され、モータケース３０側に配されたモータ側端子５２と接続される第２端子７２と、の間を接続し、インバータケース１０の内部に配される内部配線としての編組線１０であって、表面に単一の放熱層１０Ａが形成されていることを特徴とする。放熱層が単一の層とされた簡単な構成であるため、放熱層を形成するために複数の材料等を必要とせず、表面に放熱層を形成したとしても導電部材の厚みが増し難いものとなっている。【選択図】図３
2015122250.tif 000002
【特許請求の範囲】
【請求項１】
本体側ケースの内部に配された第１接続部と、前記本体側ケースの内部に配され、相手側ケース側に配された第３接続部と接続される第２接続部と、の間を接続し、前記本体側ケースの内部に配される内部配線としての導電部材であって、
表面に単一の放熱層が形成されていることを特徴とする導電部材。
【請求項２】
前記放熱層は表面に有機物を塗装することにより形成された層であることを特徴とする請求項１に記載の導電部材。
【請求項３】
前記放熱層は表面にめっき処理を施すことにより形成された層であることを特徴とする請求項１に記載の導電部材。
【請求項４】
前記放熱層は表面を酸化することにより形成された層であることを特徴とする請求項１に記載の導電部材。
【請求項５】
前記放熱層が黒色であることを特徴とする請求項１から請求項４のいずれか１項に記載の導電部材。
【請求項６】
前記本体側ケースと前記相手側ケースのいずれか一方がインバータを収容するインバータケースであり、いずれか他方がモータを収容するモータケースであることを特徴とする請求項１から請求項５のいずれか１項に記載の導電部材。
【発明の詳細な説明】
【技術分野】
【０００１】
本発明は、導電部材に関する。
【背景技術】
【０００２】
大電流が通電される導電部材では、導電部材の表面温度が高温となり易いため、高い放熱性が要求される。そこで従来、ケースの内部等に配される導電部材において、放熱性を高めたものが知られている。例えば特許文献１には、外周に放熱性を有する層をコーティングすることで、放熱性に優れたものとされた導線が開示されている。
【先行技術文献】
【特許文献】
【０００３】
【特許文献１】特開２０１３−１０１９１７号公報
【発明の概要】
【発明が解決しようとする課題】
【０００４】
しかしながら、上記特許文献１の導線は、外周に放熱性を有する層を２重にコーティングすることにより放熱性能を高く保持させる構成としている。このため、導線の外周をコーティングするために複数の材料が必要とされる。また、外周に２重の層をコーティングすることで、導線の厚みが増し、導線を引き回し難くなる虞がある。
【０００５】
本発明は、上記の課題に鑑みて創作されたものであって、内部配線としての導電部材において、簡単な構成で放熱性を高めることを目的とする。
【課題を解決するための手段】
【０００６】
本発明の導電部材は、本体側ケースの内部に配された第１接続部と、前記本体側ケースの内部に配され、相手側ケース側に配された第３接続部と接続される第２接続部と、の間を接続し、前記本体側ケースの内部に配される内部配線としての導電部材であって、表面に単一の放熱層が形成されていることを特徴とする。
【０００７】
上記の導電部材によると、表面に形成された放熱層によって放熱性を高めることができる。また、放熱層が単一の層とされた簡単な構成であるため、放熱層を形成するために複数の材料等を必要とせず、表面に放熱層を形成したとしても導電部材の厚みが増し難いものとなっている。このように内部配線としての上記の導電部材では、簡単な構成で放熱性を高めることができる。
【０００８】
上記の導電部材において、前記放熱層は表面に有機物を塗装することにより形成された層であってもよい。または、前記放熱層は表面を酸化することにより形成された層であってもよい。前記放熱層は表面を酸化することにより形成された層であってもよい。
【０００９】
これらによると、導電部材の表面に放熱層を形成するための具体的な構成を実現することができる。
【００１０】
上記の導電部材において、前記放熱層が黒色であってもよい。
【００１１】
この構成によると、放熱層が黒色以外とされている場合と比べて放熱層の放熱効率が高められるため、放熱層による放熱性能を一層高めることができる。
【００１２】
前記本体側ケースと前記相手側ケースのいずれか一方がインバータを収容するインバータケースであり、いずれか他方がモータを収容するモータケースであってもよい。
【００１３】
インバータケース内及びモータケース内に配される内部配線には大電流が通電されるため、高い放熱性が要求される。上記の構成によると、インバータケース内又はモータケース内に配される内部配線として好適な導電部材を実現することができる。
【発明の効果】
【００１４】
本発明によれば、内部配線としての導電部材において、簡単な構成で放熱性を高めることができる。
【図面の簡単な説明】
【００１５】
【図１】インバータ側端子台とモータ側端子台との嵌合部分を上方から視た平面図
【図２】インバータ側端子台とモータ側端子台との嵌合部分を正面から視た正面図
【図３】図１におけるIII−III断面の断面構成であって、インバータ側端子とモータ側端子との嵌合部を表す断面図
【図４】インバータ側端子台の拡大断面図
【図５】変形例において、インバータ側端子とモータ側端子との嵌合部を表す断面図
【発明を実施するための形態】
【００１６】
図１乃至図４を参照して実施形態を説明する。本実施形態では、導電部材の一例として、例えばハイブリッド自動車や電気自動車において、図示しないインバータと図示しないモータとの間を電気的に接続するコネクタ１の一部を構成する編組線１０を例示する。なお、各図面の一部には、互いに直交するＸ軸、Ｙ軸及びＺ軸を示しており、各軸方向が各図面で示した方向となるように描かれている。このうちＺ軸方向は、図２乃至図４における紙面上側を上方として、上下方向と一致している。
【００１７】
コネクタ１は、図３に示すように、編組線１０の他、インバータケース（本体側ケースの一例）２０と、モータケース（相手側ケースの一例）３０と、インバータ側端子台４０と、モータ側端子台５０と、インバータ側端子台４０に支持される第１ハウジング６０及び第２ハウジング７０と、第１ハウジング６０内に保持される第１端子（第１接続部の一例）６２と、第２ハウジング７０に保持される第２端子（第２接続部の一例）７２と、を備える構成とされる。
【００１８】
本実施形態では、上側をインバータ側とし、下側をモータ側として、インバータがインバータケース２０内に収容され、モータがモータケース３０内に収容される。なお、各図面では、インバータケース２０についてはインバータの下側を覆う下側部分のみを図示しており、モータケース３０についてはモータの上側を覆う上側部分のみを図示している。
【００１９】
コネクタ１は、図１及び図２に示すように、インバータ側とモータ側との間にＹ軸方向に沿って６つ並列した形で配され、インバータとモータとの間を電気的に接続する中継端子とされる。具体的には、コネクタ１は、図３に示すように、インバータ側に設けられたインバータ側ハウジング８０内に保持されるインバータ側端子８２と、モータ側端子台５０に設けられたモータ側ハウジング５１内に保持されるモータ側端子（第３接続部の一例）５２と、の間を電気的に接続する。
【００２０】
インバータ側ハウジング８０は、図３に示すように、下方に開口しており、インバータケース２０の下側部分よりも上方に配されている。インバータ側端子８２は、雄型端子であり、下側を接続側としてインバータ側ハウジング８０内に保持されている。インバータ側端子８２は、インバータと電気的に接続されてインバータ側から延びており、インバータ側から供給された交流電源をモータへ供給する。
【００２１】
モータ側ハウジング５１は、図３に示すように、上方に開口しており、モータケース３０の上側部分に載置されたモータ側端子台５０の一部に設けられている。モータ側端子５２は、雄型端子であり、上側を接続側としてモータ側ハウジング５１内に保持されている。モータ側端子５２は、モータ側まで延びてモータと電気的に接続されており、コネクタ１を介して供給される交流電源をモータ側へ供給する。
【００２２】
先にコネクタ１を構成する各部材のうち、編組線１０を除く他の部材の構成について説明する。図３及び図４に示すように、インバータケース２０には、その下側部分の一部に、下方に向かってリブ状に突出するインバータ側リブ２２と、このインバータ側リブ２２によって囲まれるインバータ側開口部２４とが設けられている。一方、モータケース３０には、その上側部分の一部に、上方に向かってリブ状に突出するモータ側リブ３２と、このモータ側リブ３２によって囲まれるモータ側開口部３４とが設けられている。
【００２３】
インバータ側端子台４０は、図１に示すように、平面に視た大きさがインバータケース２０の下側部分よりも小さな部材とされる。インバータ側端子台４０には、図３及び図４に示すように、第１取付部４２と、第２取付部４４とが設けられている。このうち第１取付部４２は、インバータ側端子台４０を下側として、インバータ側ハウジング８０と上下方向において重畳しており、第２取付部４４は、インバータ側端子台４０を上側として、モータ側ハウジング５１と上下方向において重畳している。
【００２４】
図４に示すように、第１ハウジング６０は、上下方向を筒軸方向とする略筒状をなしており、インバータ側端子台４０の第１取付部４２にＸ−Ｙ平面方向に摺動可能な形でフローティング支持されている。一方、第２ハウジング７０は、上下方向を筒軸方向とする略筒状をなしており、インバータ側端子台４０の第２取付部４４にＸ−Ｙ平面方向に摺動可能な形でフローティング支持されている。
【００２５】
第１端子６２は、雌型端子であり、その接続口を上方に向けた形で、第１ハウジング６０の内壁から延びるランス６４によって第１ハウジング６０内における上部開口側に保持されている。第１ハウジング６０には、その上方からインバータ側ハウジング８０が嵌め込まれており、これにより、インバータ側端子８２と第１端子６２とが上下方向において雄雌嵌合され、両端子間８２，６２が電気的に接続されている。
【００２６】
第２端子７２は、雌型端子であり、その接続口を下方に向けた形で、第２ハウジング７０の内壁から延びるランス７４によって第２ハウジング７０内における上部開口側に保持されている。第２ハウジング７０には、その下方からモータ側ハウジング５１が嵌め込まれており、これにより、モータ側端子５２と第２端子７２とが上下方向において雄雌嵌合され、両端子間５２，７２が電気的に接続されている。
【００２７】
第１端子６２は、その接続口とは反対側の一部が第１ハウジング６０の内壁に沿って下部開口近傍まで延びており、編組線１０の一端部と接続されている。また、第２端子７２は、その接続口とは反対側の一部が第２ハウジング７０の内壁に沿って上部開口近傍まで延びており、編組線１０の他端部と接続されている。従って、インバータ側端子台４０内において第１端子６２と第２端子７２との間は、編組線１０によって電気的に接続されている。
【００２８】
インバータ側端子台４０は、図３に示すように、その下面がインバータケース２０の下部内壁に宛がわれるとともに、第２ハウジング７０の下側部分がインバータケース２０のインバータ側開口部２４に挿通された状態で、インバータケース２０に対して組付け固定されている。このため、インバータ側端子台４０はインバータケース２０の内部に位置している。従って、インバータ側端子台４０内に配された編組線１０は、インバータケース２０の内部に配された内部配線といえる。
【００２９】
モータ側端子台５０は、図３に示すように、モータケース３０の上側部分に載置される形でモータケース３０に組付けられている。モータ側端子台５０には、図３に示すように、略板状をなす本体部５４と、本体部５４の一部から上下方向に突出する突出部５６と、が設けられている。モータ側端子台５０における突出部５６の上側部分は、上述したモータ側ハウジング５１とされている。モータ側ハウジング５１内に保持されるモータ側端子５２は、突出部５６内を上下方向に伸びてモータと電気的に接続されている。
【００３０】
モータ側端子台５０は、図３に示すように、その本体部５４が、モータケース３０のモータ側リブ２２上に載置されるとともに、その突出部５４の下側部分がモータケース３０のモータ側開口部３４に挿通された状態で、ボルト（図１及び図２参照）Ｂによってモータケース３０と締結されることで、モータケース３０に対して組付け固定されている。
【００３１】
なお、図３に示すように、モータ側端子台５０の本体部とモータケース３０のモータ側リブ３２との間、及びインバータケース２０のインバータ側リブ２２とモータ側端子台５０の本体部との間には、それぞれシール部材Ｓ１，Ｓ２が配されている。これにより、モータ側端子５２と第２端子７２との嵌合部等に水等が浸入することが防止されている。
【００３２】
続いて編組線１０の構成について説明する。編組線１０は、可撓性を有する導電部材であり、第１端子６２と第２端子７２との間を接続した状態で、インバータ側端子台４０内に引き回されている。編組線１０のうち、第１端子６２との接続部及び第２端子７２との接続部を除く部位には、その表面に単一の放熱層１０Ａが形成されている。
【００３３】
編組線１０の表面の放熱層１０Ａは、黒色とされ、例えば編組線１０の表面を塗装すること、または編組線１０の表面にめっき処理を施すこと、または編組線１０の表面を酸化することにより形成されたものである。
【００３４】
編組線１０の表面を塗装することの一例としては、編組線１０の絶縁被覆から心線を取り出し、その心線の表面にエナメル等の有機物を付着させることで編組線１０の表面を黒色に塗装することが挙げられる。編組線１０の表面にめっき処理を施すことの一例としては、編組線１０の表面を黒色ニッケルにより無電解めっきすることが挙げられる。編組線１０の表面を酸化することの一例としては、編組線１０の表面を酸化することで黒色の酸化銅とすることが挙げられる。
【００３５】
編組線１０は、表面にこのような放熱層１０Ａが形成されていることで、表面に放熱層１０Ａが形成されていない場合と比べて、表面の反射率（光沢度）が減少している。ここで、可撓性を有する導電部材では、表面の反射率と表面からの熱の放射率との間に、一方が減少するのにつれて他方が増加する負の相関関係がある。従って、編組線１０では、その表面の反射率（光沢度）が減少することで放熱性が高められており、編組線１から発生する熱が効果的に放熱されるようになっている。
【００３６】
以上説明したように本実施形態の編組線１０によると、表面に形成された放熱層１０Ａによって放熱性を高めることができる。また、放熱層１０Ａが単一の層とされた簡単な構成であるため、放熱層１０Ａを形成するために複数の材料等を必要とせず、表面に放熱層１０Ａを形成したとしても編組線１０の厚みが増し難いものとなっている。このようにインバータケース１０内に配される内部配線としての本実施形態の編組線１０では、簡単な構成で放熱性を高めることができる。
【００３７】
また、本実施形態の編組線１０では、放熱層１０Ａが黒色とされている。このような構成とされていることで、放熱層１０Ａが黒色以外とされている場合と比べて放熱層１０Ａの放熱効率が高められるため、放熱層１０Ａによる放熱性能を一層高めることができる。
【００３８】
また、本実施形態のようにハイブリッド自動車や電気自動車におけるインバータとモータとの間の接続に用いられる編組線１０においては、大電流が通電されるため、編組線１０の発熱量が大きくなり易く、高い放熱性が要求される。この点、インバータとモータとの間の接続に放熱性が高められた本実施形態の編組線１０を用いることは好適である。
【００３９】
また、インバータケース２０の内部は、第１ハウジング６０、第２ハウジング７０等の内部と比べて空気容量が大きく、温度差が生じ易い（熱が籠り難い）ものとなっている。このため、インバータケース２０内に配される内部配線として本実施形態の編組線１０を用いることで、編組線１０周辺の環境温度が上昇することを効果的に抑制することができる。
【００４０】
＜変形例＞
次に、実施形態の変形例について、図５を参照して説明する。本変形例では、上記実施形態における編組線１０の代わりにバスバー（導電部材の一例）１１０が配されている。バスバー１００以外の構成については、上記実施形態のものと同様であるため、構造、作用、及び効果の説明は省略する。
【００４１】
本変形例に係るコネクタ１０１では、図５に示すように、第１端子６２と第２端子７２との間がバスバー１１０によって電気的に接続されている。バスバー１１０は、可撓性を有する導電部材であり、表面に単一の放熱層１１０Ａが形成されている。またバスバー１１０は、第１端子６２との接続部及び第２端子７２との接続部を除いた部分が、上下方向に波打つ蛇腹状とされている。
【００４２】
本変形例では、導電部材としてのバスバー１１０が上記のように蛇腹状とされていることで、例えばバスバー１１０が直線状とされている場合と比べてその表面積が増加するため、放熱性を一層高めることができる。また、バスバー１１０が蛇腹状とされていることで、バスバー１１０が直線状とされている場合と比べてバスバー１１０の柔軟性を高めることができる。
【００４３】
上記の実施形態の他の変形例を以下に列挙する。
（１）上記の実施形態及び変形例では、導電部材の一例としてインバータとモータとの間を接続するコネクタの一部として用いられる編組線を記載したが、モータケースの内部に配される内部配線としての導電部材であってもよい。また本発明は、インバータとモータとの間の接続に用いられる導電部材に限定されるものではなく、他の装置を構成するケース内に配される内部配線としての導電部材であってもよい。
【００４４】
（２）上記の実施形態及び変形例では、導電部材の一例として編組線及びバスバーを例示したが、導電部材の構成については限定されない。導電部材として、可撓性を有する端子や電線等を用いてもよい。
【００４５】
（３）上記の実施形態及び変形例では、放熱層が黒色とされている構成を例示したが、放熱層の色については限定されない。
【００４６】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【実施例】
【００４７】
以下、実施例を挙げて本発明をさらに詳細に説明する。なお、本発明は以下の実施例に限定されるものではない。
【００４８】
本実施例では、上記実施形態に記載したものと同様の構成のコネクタにおいて、表面に単一の放熱層が形成されていない通常の編組線を用いた場合と、表面に単一の放熱層が形成された上記実施形態のものと同様の編組線を用いた場合と、の各々において、編組線に電流を通電させた後の編組線周辺の環境温度を測定した。
【００４９】
本実施例では、編組線の長さを９０ｍｍとし、編組線の表面にエナメルの黒色塗装を施すことで、編組線の表面に単一の放熱層を形成した。また本実施例では、環境温度が約１００℃とされたインバータケースの内部に編組線を配し、編組線に所定の電流を通電させた。
【００５０】
編組線に所定の電流を通電させた後の編組線周辺の環境温度を測定した結果、表面に単一の放熱層が形成されていない通常の編組線では、約８０℃の温度上昇がみられた。一方、表面に単一の放熱層が形成された編組線では、約７０℃の温度上昇がみられた。
【００５１】
このように、編組線の表面に単一の放熱層を形成することで、編組線の放熱性を高めることができ、表面に単一の放熱層が形成されていない通常の編組線と比べて約１０℃の温度上昇抑制効果が得られることを確認することができた。
【符号の説明】
【００５２】
１，１０１…コネクタ
１０…編組線
１０Ａ，１１０Ａ…放熱層
２０…インバータケース
２２…インバータ側リブ
２４…インバータ側開口部
３０…モータケース
３２…モータ側リブ
３４…モータ側開口部
４０…インバータ側端子台
４２…第１取付部
４４…第２取付部
５０…モータ側端子台
５１…モータ側ハウジング
５２…モータ側端子
５４…本体部
５６…突出部
６０…第１ハウジング
６２…第１端子
６４，７４…ランス
７０…第２ハウジング
７２…第２端子
８０…インバータ側ハウジング
８２…インバータ側端子
１１０…バスバー
Ｓ１，Ｓ２…シール部材
【図１】
2015122250.tif 000003
【図２】
2015122250.tif 000004
【図３】
2015122250.tif 000005
【図４】
2015122250.tif 000006
【図５】
2015122250.tif 000007